【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
エマージェンシー・コールのための再確立のためにモバイル・デバイスにより実行される方法において、
前記モバイル・デバイスを使用して、第１のセルを介したコネクション上で、進行中のエマージェンシー・コールにおいて通信することと、
前記第１のセルを介した前記コネクションにおける前記エマージェンシー・コールのために、前記モバイル・デバイスにおける無線リンク障害を、前記モバイル・デバイスによって検出することと、
前記エマージェンシー・コールをリリースすることなく前記エマージェンシー・コールを続けるために、第２のセルが前記モバイル・デバイスに通常サービスを提供できるかどうか考慮することなく、前記第２のセルを介して前記エマージェンシー・コールのための前記コネクションを、前記モバイル・デバイスによって、再確立することを含む方法。
【請求項２】
前記確立することは、無線資源制御のコネクション再確立手続きにより前記コネクションを再確立することを含む請求項１の方法。
【請求項３】
再確立リクエスト・メッセージを、前記第２のセルをオペレートしている基地局へ送信することを更に含み、
前記再確立リクエスト・メッセージは、再確立の試行が前記エマージェンシー・コールに関係するという情報を含む請求項２の方法。
【請求項４】
前記送信することは、前記再確立リクエスト・メッセージにおいて、前記再確立リクエスト・メッセージの原因として前記エマージェンシー・コールを示すことを含む請求項３の方法。
【請求項５】
前記確立することは、セル更新手続きにより前記コネクションを再確立することを含む請求項１の方法。
【請求項６】
セル更新メッセージを、前記第２のセルをオペレートしている基地局へ送信することを更に含み、
前記セル更新メッセージは、再確立の試行が前記エマージェンシー・コールに関係するという情報を含む請求項５の方法。
【請求項７】
前記送信することは、前記セル更新メッセージにおいて、前記セル更新メッセージの原因として前記エマージェンシー・コールを示すことを含む請求項６の方法。
【請求項８】
前記確立することは、前記第２のセルを許容できるセルとして考慮することを含む請求項１の方法。
【請求項９】
選択手続きが全ての利用可能な無線アクセス技術をわたってセル選択を実行しても再確立のための前記第２のセルを識別することを更に含む請求項８の方法。
【請求項１０】
前記識別することは、前のセル選択手続きが、前記モバイル・デバイスに通常サービスを提供しているセルを識別することに失敗した後で、実行される請求項９の方法。
【請求項１１】
前記判定することは、既存のコネクションを回復する試行の間に、前記エマージェンシー・コールが発信されることを検出することを含む請求項１の方法。
【請求項１２】
無線通信装置において、
第１のセルを介したコネクション上で、進行中のエマージェンシー・コールにおいて通信することと、
前記第１のセルを介した前記コネクションにおける前記エマージェンシー・コールのために無線リンク障害を検出することと、
前記エマージェンシー・コールをリリースすることなく前記エマージェンシー・コールを続けるために、第２のセルが前記無線通信装置に通常サービスを提供できるかどうか考慮することなく、前記第２のセルを介して前記エマージェンシー・コールのための前記コネクションを再確立することに関係する命令を保持するメモリと、
前記メモリに接続され、前記メモリに保持された前記命令を実行するように構成されたプロセッサとを含む無線通信装置。
【請求項１３】
前記確立することに関係する命令は、無線資源制御のコネクション再確立手続きにより前記コネクションを再確立することを含む請求項１２の無線通信装置。
【請求項１４】
前記メモリは、再確立リクエスト・メッセージを、前記第２のセルをオペレートしている基地局へ送信することに関係する更なる命令を保持し、
前記再確立リクエスト・メッセージは、再確立の試行は前記エマージェンシー・コールに関係するという情報を含み、前記再確立リクエスト・メッセージの原因として前記エマージェンシー・コールを示す請求項１３の無線通信装置。
【請求項１５】
前記確立することに関係する命令は、セル更新手続きにより前記コネクションを再確立することを含む請求項１２の無線通信装置。
【請求項１６】
前記メモリは、セル更新メッセージを、前記第２のセルをオペレートしている基地局へ送信することに関係する更なる命令を保持し、
前記セル更新メッセージは、再確立の試行は前記エマージェンシー・コールに関係するという情報を含み、前記セル更新メッセージの原因として前記エマージェンシー・コールを示す請求項１５の無線通信装置。
【請求項１７】
前記確立することに関係する命令は、前記第２のセルを許容できるセルとして考慮することを含む請求項１２の無線通信装置。
【請求項１８】
前記メモリは、選択手続きが全ての利用可能な無線アクセス技術をわたってセル選択を実行しても再確立のための前記第２のセルを識別することに関係する更なる命令を保持し、
前記識別することは、前のセル選択手続きが、モバイル・デバイスに通常サービスを提供しているセルを識別することに失敗した後で、実行される請求項１７の無線通信装置。
【請求項１９】
モバイル・デバイスの上でエマージェンシー・コールに関連するコネクションを回復する無線通信装置において、
前記モバイル・デバイスを使用して、第１のセルを介した前記コネクション上で、進行中のエマージェンシー・コールにおいて通信するための手段と、
前記第１のセルを介して進行中の前記エマージェンシー・コールのために、無線リンク障害が起こったことを確認するための手段と、
前記エマージェンシー・コールをリリースすることなく前記エマージェンシー・コールを続けるために、第２のセルが前記無線通信装置に通常サービスを提供できるかどうか考慮することなく、前記第２のセルを介して前記エマージェンシー・コールのための前記コネクションを再確立するための手段とを含む無線通信装置。
【請求項２０】
前記確立するための手段は、無線資源制御のコネクション再確立手続きにより前記コネクションを再確立するための手段を含む請求項１９の無線通信装置。
【請求項２１】
再確立リクエスト・メッセージを、前記第２のセルをオペレートしている基地局へ送信するための手段を更に含み、
前記再確立リクエスト・メッセージは、再確立の試行は前記エマージェンシー・コールに関係するという情報を含み、前記再確立リクエスト・メッセージの原因として前記エマージェンシー・コールを示す請求項２０の無線通信装置。
【請求項２２】
前記確立するための手段は、セル更新手続きにより前記コネクションを再確立するための手段を含む請求項１９の無線通信装置。
【請求項２３】
セル更新メッセージを、前記第２のセルをオペレートしている基地局へ送信するために手段を更に含み、
前記セル更新メッセージは、再確立の試行は前記エマージェンシー・コールに関係するという情報を含み、前記セル更新メッセージの原因として前記エマージェンシー・コールを示す請求項２２の無線通信装置。
【請求項２４】
前記確立するための手段は、前記第２のセルを許容できるセルとして考慮するための手段を含む請求項１９の無線通信装置。
【請求項２５】
選択手続きが全ての利用可能な無線アクセス技術をわたってセル選択を実行しても再確立のための前記第２のセルを識別するための手段を更に含み、
前記識別するための手段は、前のセル選択手続きが、前記モバイル・デバイスに通常サービスを提供しているセルを識別することに失敗した後で、識別を実行する請求項２４の無線通信装置。
【請求項２６】
非一時的なコンピュータ・プログラム製品において、
コンピュータに、モバイル・デバイスを使用して、第１のセルを介したコネクション上で、進行中のエマージェンシー・コールにおいて通信させるための第１のコードセットと、
コンピュータに、前記第１のセルを介した進行中の前記エマージェンシー・コールのために、前記モバイル・デバイスにおける無線リンク障害を検出させるための第２のコードセットと、
前記コンピュータに、前記エマージェンシー・コールをリリースすることなく前記エマージェンシー・コールを続けるために、第２のセルが前記モバイル・デバイスに通常サービスを提供できるかどうか考慮することなく、前記第２のセルを介して前記エマージェンシー・コールのための前記コネクションを再確立させるための第３のコードセットとを含むコンピュータ読み取り可能な媒体を含む非一時的なコンピュータ・プログラム製品。
【請求項２７】
前記コンピュータに、再確立リクエスト・メッセージの原因として前記エマージェンシー・コールを示す前記再確立リクエスト・メッセージを送信させるために第４のコードセットを更に含む請求項２６の非一時的なコンピュータ・プログラム製品。
【請求項２８】
前記コンピュータに、セル更新メッセージの原因として前記エマージェンシー・コールを示す前記セル更新メッセージを送信させるために第４のコードセットを更に含む請求項２６の非一時的なコンピュータ・プログラム製品。
【請求項２９】
エマージェンシー・コールを再確立するように構成される少なくとも一つのプロセッサにおいて、
モバイル・デバイスを使用して、第１のセルを介したコネクション上で、進行中のエマージェンシー・コールにおいて通信する第１のモジュールと、
前記第１のセルを介した進行中の前記エマージェンシー・コールのために、前記モバイル・デバイスにおいて、無線リンク障害が起こったことを確認する第２のモジュールと、
前記エマージェンシー・コールをリリースすることなく前記エマージェンシー・コールを続けるために、第２のセルが無線通信装置に通常サービスを提供できるかどうか考慮することなく、前記第２のセルを介して前記エマージェンシー・コールのための前記コネクションを確立する第３のモジュールとを含む少なくとも一つのプロセッサ。
【請求項３０】
再確立リクエスト・メッセージの原因として前記エマージェンシー・コールを示す前記再確立リクエスト・メッセージを送信する第４のモジュールを更に含む請求項２９の少なくとも一つのプロセッサ。
【請求項３１】
セル更新メッセージの原因として前記エマージェンシー・コールを示す前記セル更新メッセージを送信する第４のモジュールを更に含む請求項２９の少なくとも一つのプロセッサ。